(57)【要約】【課題】軽量構成部材（１００）を提供することである。【解決手段】軽量構成部材１００は、内側表面２０と外側表面２３を有する金属の本体またはシェル１であって本体の内側表面２３が内部空間２６を形成しているものと、本体１の外側表面２３に固定して取付けられているプラスチック（熱可塑性材料）の補強リブ（２ａ、２ｂ）とを有する。補強リブは、不連続の結合部３｛開口３ａ、ビード３ｂ、突起部３ｃ、溝３ｆ｝によって上記本体の外側表面に固定して取付けられている。軽量構成部材を有する製造品には、自動車や飛行機の構造部材、配線またはガスの少なくとも１つを収容する通路を備える構造部材が含まれる。【選択図】  図１
2004156770.tif 000002
【特許請求の範囲】
【請求項１】
内側表面と外側表面とを有するシェル形状の本体であって、上記本体の内側表面が内部空間を形成しているものと、
上記本体の外側表面に固定して取り付けられているプラスチック材からなる複数の補強リブとを有し
上記補強リブが不連続の結合部によって上記本体の外側表面に固定して取付けられ、上記補強リブが上記本体の外側表面に直接的または間接的のどちらかによって固定して取付けられている軽量構成部材。
【請求項２】
上記本体が、熱硬化性プラスチック材料と熱可塑性材料と金属から少なくとも一つ選択された材料から作成される請求項１の軽量構成部材。
【請求項３】
上記補強リブのプラスチック材が、熱硬化性プラスチック材料と熱可塑性材料から少なくとも一つ選択される請求項１の軽量構成部材。
【請求項４】
上記不連続の結合部が、複数の貫通穴と複数のビードと複数の突起部の少なくとも一つを有する請求項１の軽量構成部材。
【請求項５】
上記本体が平面をそれぞれ有する複数のパーフォレイションを有し、上記補強リブが複数のパーフォレイションの少なくとも一部を介して且つ上記複数のパーフォレイションの平面を越えて且つ上記本体の内部空間に伸びている上記補強リブのプラスチック材によって上記本体の外側表面に固定して取付けられ、上記複数のパーフォレイションが開口と溝から少なくとも一つ選択されている請求項１の軽量構成部材。
【請求項６】
上記本体が２つの側壁をそれぞれ有する略Ｕ型形状と略Ｖ型形状から選択された形状を有し、側壁それぞれがリムを有し、上記補強リブが上記リムを少なくとも部分的に覆っている上記リブのプラスチック材によって上記本体の外側表面に固定して取付けられている請求項１の軽量構成部材。
【請求項７】
側壁それぞれのリムが略横方向に外側に伸びているフランジを有し、上記補強リブが上記フランジそれぞれを少なくとも部分的に覆っている上記リブのプラスチック材によって上記本体に固定して取付けられている請求項６の軽量構成部材。
【請求項８】
上記補強リブが上記本体の外側表面上にプラスチック材をモールド成形することによって上記本体の外側表面に固定して取付けられ、このモールド成形されたプラスチック材料が（ｉ）上記複数のパーフォレイションの少なくとも一部を介して上記本体の内部空間に伸びている、（ｉｉ）上記複数の溝の少なくとも一部に充填されている、（ｉｉｉ）上記複数のビードの少なくとも一部に充填されている、（ｉｖ）上記複数の突起部の少なくとも一部を少なくとも部分的に覆っている、これらの少なくとも一つである請求項４の軽量構成部材。
【請求項９】
上記本体の外側表面が、プラスチック材によって少なくとも部分的に覆われている請求項１の軽量構成部材。
【請求項１０】
上記本体の内側表面の少なくとも一部分がプラスチック材に覆われている請求項１の軽量構成部材。
【請求項１１】
上記本体が２つの側壁をそれぞれ有する略Ｕ型形状と略Ｖ型形状から選択された形状を有し、側壁それぞれが略横方向に外側に伸びているフランジを有し、上記軽量構成部材がカバープレートを有し、上記カバープレートが上記フランジそれぞれに固定して取付けられ且つ上記本体の内部空間の少なくとも一部分を覆っている請求項１の軽量構成部材。
【請求項１２】
上記カバープレートが、上記フランジそれぞれと上記フランジそれぞれと接する上記カバープレートの少なくとも一部分を覆っているプラスチック材によって上記本体に固定して取付けられている請求項１１の軽量構成部材。
【請求項１３】
上記カバープレートと上記フランジそれぞれが複数のパーフォレイションを有し、パーフォレイションそれぞれが平面を有し、上記カバープレートと上記フランジそれぞれの複数のパーフォレイションの少なくとも一部が相互に整列されており、整列した複数のパーフォレイションが平面をそれぞれ有する複数の整列したパーフォレイションを形成しており、上記カバープレートが複数の整列したパーフォレイションの少なくとも一部の平面を介して且つ越えて伸びているプラスチック材によって本体に固定して取付けられ、上記複数のパーフォレイションが開口および溝の少なくとも一つから選択されている請求項１２の軽量構成部材。
【請求項１４】
上記カバープレートが、上記フランジそれぞれと上記フランジそれぞれに固定して取付けられている上記カバープレートの少なくとも一部分との間に配置された溶接結合部、接着結合部、シール剤によって上記本体の上記内部空間を覆う気密シールを形成する請求項１２の軽量構造部材。
【請求項１５】
上記本体の内部空間内に配置される隔壁を少なくとも一つ有する請求項１の軽量構成部材。
【請求項１６】
上記本体と上記カバープレートが、金属シート、金属ダイキャスト、繊維強化プラスチック材料から構成されるグループから少なくとも一つ選択された材料からそれぞれ独立して作成される請求項１１の軽量構成部材。
【請求項１７】
上記補強リブのプラスチック材料が、ポリカーボネイト、ポリエステル、ポリウレタン、ポリスチレン、ポリアミド、ポリアルキレンから少なくとも一つ選択された熱可塑性材料である請求項１の軽量構成部材。
【請求項１８】
自動車の構造部材、飛行機の構造部材、ケーブルとガスの少なくとも一つを収容する通路を備える構造部材から選択される請求項１の軽量構成部材を有する製造品。
【請求項１９】
上記製造品が、計器盤支持材と横梁から選択される請求項１の軽量構成部材を有する製造品。
【請求項２０】
上記補強リブが、上記本体の外側表面に連続的な単一構造物を形成する請求項１の軽量構成部材。
【発明の詳細な説明】
【０００１】
（関連する特許出願）
本特許出願は、２００２年２月２８日に出願された独国特許出願第１０２  ０８  ９５３．１号の３５  Ｕ．Ｓ．Ｃ．§１１９（ａ）−（ｄ）に基づく優先権を主張するものである。
【０００２】
（発明の分野）
本発明は、シェル（ｓｈｅｌｌ）形状の本体、特に金属製の本体を有し、該本体がプラスチック（特に熱可塑性プラスチック）の補強リブを有しており、該補強リブが該本体に永久的に固定されている軽量構成部材に関する。
【０００３】
（発明の背景）
剛性を有し、内部補強材を備える高強度な軽量構成部材は、「ハイブリッド技術」（一般的に、熱可塑性プラスチック材料に金属挿入物を組合せた技術）として通常言われているものにおいて存在している。しかしながら、空間的制約の理由から、上記構成物は、付加的な構成要素と用途（例えば、基体の内部の、配線用または空気移送用ダクト、また他の通路）の統合に関する要件を満足するものでない。
【０００４】
以前は、自動車の計器盤支持材やいわゆる横梁又は横材は、種々の溶接された部分またはねじ留めされた部分を備える鋼管から生産されていた。これらの部分は比較的に高重量であった。その上、それらの部材があるために、射出成形法によって本体に新たな構成要素を直接モールド成形することが不可能であった又は可能であっても困難であった。
【０００５】
欧州特許第３７０  ３４２  Ａ１号に、シェル形状断面とともに、熱可塑性プラスチック材にモールド成形された内部支持リブを構成する軽量構成部材が開示されている。この構成部材は支持構造物として使用されているが、特にプラスチック−金属複合体の形態において、構成部材としての新たな技術的用途は通常制限される。
【０００６】
本発明の目的は、相対的に製作が容易であり、また高剛性や高強度のような良好な物理的性質を有する軽量構成部材を開発することである。このような新たに開発された軽量構成部材は、１つまたは選択的に複数の（シェル形状）本体から構成される。新たに開発された軽量構成部材の本体は好ましくも、配線用または空気輸送用若しくは更なる用途のための通路を提供するものであることが好ましい。更に、新たに開発された軽量構成部材は、金属管からなる横梁などの従来構造物と少なくとも同等な剛性を備えるのが好ましい。
【０００７】
（発明の要約）
本発明に従って提供される軽量構成部材（１００）は、
（ａ）例えば金属から作成された、内側表面（２０）と外側表面（２３）とを備えるシェル形状本体またはシェル（１）であって、上記本体の内側表面（２３）が内部空間（２６）を形成しているものと、
（ｂ）プラスチック材、好適には熱可塑性材料からなり、上記本体の外側表面（２３）に固定して（または永久的に）取付けられている補強リブ（２ａ、２ｂ）とを備え、
上記補強リブが不連続の結合部｛例えば、開口（３ａ）、溝（３ｆ）、ビード（３ｂ）、突起部（３ｃ）｝によって上記本体の外側表面に固定して取付られており、上記補強リブが上記本体の外側表面に直接的または間接的のどちらかによって固定して取付られている。
【０００８】
本発明を特徴付ける形態は特に、本明細書に記載され又その一部分を形成する請求項に指摘されている。本発明のこれらの形態または他の形態、機能上の利点、これの使用によって得られる特定の目的は、以下の詳細の説明や本発明の好適な実施形態が図示されたまた記載された添付図面からより完全に理解される。
【０００９】
別段の指示がなければ、明細書や請求項に使用されている構造的寸法、構成要素の数量等などの数字または表現全ては、全ての例において「約」の用語によって変更されるものとして理解される。
【００１０】
本明細書や請求項に使用されている「パーフォレイション」は、任意の大きさまたは形状の穴を指す。これは通常、本体（１）や選択的に本体のフランジ（８）に存在しており、開口や溝に限定されない。
【００１１】
本明細書や請求項に使用されている「開口」は、交差する複数の軸の寸法が略同一であるパーフォレイションを指す。これの形状は、円形、四角形、三角形に限定されない。
【００１２】
本明細書や請求項に使用されている「溝」は一般に、一軸の寸法が他軸の寸法に対して長いパーフォレイションを指す。これの形状は、長方形溝、楕円形溝に限定されない。
【００１３】
本明細書や請求項に使用されている「プラスチック材料」は、別段の注記がなければ、熱可塑性材料（３次元交差結合組織がほとんどないプラスチック材料）および／または熱硬化性プラスチック材料（３次元交差結合組織を有するプラスチック材料）を指す。
【００１４】
本明細書や請求項に使用され、外側補強プラスチックリブに関する「直接的に固定して取付けられている」の用語は、補強リブが開口や溝によって基体に形状的および強制的に結合されていることを指す。
【００１５】
本明細書や請求項に使用され、外側補強プラスチックリブに関する「間接的に固定して取付けられている」の用語は、補強リブがビードや突起部によって基体に強制的に結合されていることを指す。
【００１６】
（発明の詳細な説明）
本発明の実施形態において、本体は、熱硬化性プラスチック材、熱可塑性プラスチック材、金属から少なくとも一つ選択された材料によって作成される。更なる実施形態において、補強リブのプラスチック材料は、熱硬化性プラスチック材料と熱可塑性プラスチック材料から少なくとも一つ選択される。
【００１７】
補強リブと本体との結合は、パーフォレイションを通過しまたパーフォレイションの面を越えて伸びているプラスチック材を介して、パーフォレイション（例えば開口および／または溝）でまたはパーフォレイションによって行われる。
【００１８】
本発明の好適な実施形態において、構成部材の剛性は、本体のリム部分が少なくとも部分的にプラスチック材によって覆われることによって補強リブと本体との間の結合が付加的に行われることにより増加するまたは向上する。特に、本発明の実施形態において、軽量構造部材の本体が二つの側壁（例えば、略対向し合う側壁）をそれぞれ備える略Ｕ型形状と略Ｖ型形状から選択された形状と補強リブとを有し、その側壁それぞれがリムを備え、また、その補強リブがリムを少なくとも部分的に覆っているリブのプラスチック材によって本体の外側表面に固定して取付けられている。
【００１９】
本発明の好適な実施形態において、軽量構成部材は、本体のリム部分にアングル補強フランジ、特に二重アングル補強フランジが備えられた場合に、更に大きな剛性が与えられる。特に、軽量構造物の本体が二つの側壁（例えば、略対向し合う側壁）をそれぞれ備える略Ｕ型形状と略Ｖ型形状から選択された形状と補強リブとを有し、その側壁それぞれが略横方向にまた外側に伸びているフランジ（例えば、アングル補強フランジ）を備え、また、その補強リブがフランジを少なくとも部分的に覆っているリブのプラスチック材によって本体の外側表面に固定して取付けられている。
【００２０】
本体のこれらのアングルリム部分（または横方向に外側に伸びているフランジ）は様々に形成される（例えば、金属部品の深絞り加工によって形成される）。これらの構成は、例えば構成部材全体の設計条件によって主に決定される。
【００２１】
その反面、軽量構成部材は特に、プラスチック材料を再利用するために、簡単に取り外れる（例えば、本体またはシェルから補強リブを分離する）ようにシンプルに作成される。これは、本体の外側表面上にプラスチック材がモールド成形されていることによって、例えば本明細書内に詳細に説明されている射出成形法によって補強リブと本体との間の結合がされている場合に行われる。
【００２２】
特に好適な実施形態において、軽量構成部材の強度を更に増加させるために、本体の外側表面が（補強リブも含めて）プラスチック材に覆われる。外側を覆うプラスチック材は、外側の補強リブのプラスチック材と選択的に連続している。
【００２３】
特に、本発明の好適な軽量構成部材は、例えば金属挿入部品の腐食防止に関して有効であり、そのために本体の内側表面が少なくとも部分的にプラスチック材に覆われている。内側を覆うプラスチック材は、本体内のパーフォレイションを介して本体の内部空間に伸びている外側の補強リブのプラスチック材と選択的に連続している。それにより、外側補強リブが本体の外側表面に固定して取付けられる。
【００２４】
軽量構成部材のシェルの空間的形状は、用途によって自由に選択される。軽量構成部材の好適な構成形状は、本体が（本体の輪郭断面に関して）略Ｕ型形状および／または略Ｖ型形状から選択される形状を有することを特徴とする。
【００２５】
本発明の本体の利点は、閉じた箱型断面の本体に比べ、容易に製造できる（例えば、押出成形加工によって）ことである。
【００２６】
配線用または空気用ダクトを形成するために、シェル（ｓｈｅｌｌ）形状本体は、カバープレートによって選択的に閉じられる。それゆえ、軽量構成部材は、少なくとも一つの付加的なカバープレートが本体の内部空間を少なくとも部分的に覆うように、好ましくは完全に、本体の内部空間を渡って（または覆って）取り付けられているという特徴を有するのが好ましい。本発明の実施形態において、本体が二つの側壁をそれぞれ備える略Ｕ型形状と略Ｖ型形状から選択された形状を有し、その側壁それぞれが略横方向にまた外側に伸びているフランジを備え、更に、軽量構成部材がカバープレートを有し、そのカバープレートがフランジそれぞれに固定して取付けられまた本体の内部空間の少なくとも一部分を覆う。
【００２７】
カバープレートは、あらゆる所望の様態において軽量構成部材の側部（または側壁）を越えて突き出ている。ダッシュボード部品等などの機能部材が選択的に含まれている場合、新たな設計特徴として機能する。
【００２８】
本発明の軽量構成部材の特に好適な形態において、カバープレートは、内部空間を閉じるために本体のリム部のプラスチック材によって共同して覆われる。実施形態において、カバープレートは、フランジそれぞれとそれらに接する（または少なくとも重なる）カバープレートの少なくとも一部分とを覆っているプラスチック材によって本体に固定して取付けられている。
【００２９】
構成部材の剛性は更に、カバープレートが開口または溝の平面を通り且つ越えて伸びているプラスチック材を介して上下に配列された開口または溝によって本体に好適に重ねられる場合に増加する。それにより、一種のプラスチックリベット結合が形成される。本発明の実施形態において、カバープレートとフランジそれぞれは複数のパーフォレイションを備えており、パーフォレイションそれぞれは平面を備え、カバープレートとフランジそれぞれのパーフォレイションそれぞれの少なくとも一部が相互に整列されている。整列したパーフォレイションそれぞれは、平面をそれぞれ備える複数の整列したパーフォレイションを形成する。カバープレートは、整列したパーフォレイションそれぞれの少なくとも一部の平面を介して且つ越えて伸びているプラスチック材によって本体に固定して取付けられている。整列したパーフォレイションそれぞれからなるパーフォレイションは開口および／または溝から選択される。
【００３０】
気密通路が必要とされる場合、密閉プレートとシェル形状本体または軽量構成部材との間の結合は、溶接または接着剤によって行われ、またゴムシールなどの付加的なシール要素が挿入される。
【００３１】
特定の用途（例えば、空気ダクト等）に関して好適な軽量構成部材は、カバープレートの本体への結合部が溶接または接着剤若しくはシール剤（特にゴムシール）によって密閉状態に閉じられる。本発明の実施形態において、カバープレートは、本体の内部空間を覆って密閉シールを形成する。それは、フランジそれぞれとフランジそれぞれに固定して取付けられているカバープレートの少なくとも一部分との間に溶接する、接着する、および／またはシール剤を用いることによって行われる。
【００３２】
軽量構成部材の好適な形態において、本体の内側は、特に熱可塑性プラスチック材の隔壁を少なくとも一つ有し、それは複数の導管を個々に収容することが可能である。
【００３３】
金属シート（好適には鋼シートまたはアルミニウムシート）、金属ダイカスト（特にアルミニウムまたは亜鉛若しくはマグネシウム）、ファイバにより補強されたプラスチック材（または複合材料）が、軽量構成部材の本体や選択的にカバープレートに好適な材料として使用される。
【００３４】
補強リブや選択的に軽量構成部材を覆うのに好適な材料として、ポリカーボン、ポリエステル、特にＰＥＴまたはＰＢＴ、ポリウレタン、ポリスチレン、ポリアミド、ポリアルキレン、特にポリプロピレンから選択されたプラスチック材が使用される。
【００３５】
高機能性を備えるこれらの軽量部材、構造部材、ハウジング部材は自動車産業、機械工学、家電工業、電気産業において、また他の構造部材として使用される。
【００３６】
特に、これらの部材は、自動車産業において計器盤支持材または横梁（ＣＣＢｓ）として使用される。
【００３７】
該当する場合、ダッシュボード部分の装飾または機能的部品などの構成部材は、射出成形法をによって本体または補強材の外側部分に直接モールド成形される。
【００３８】
上記軽量構成部材の製造は、合理的に、特に射出成形法を用いることによって相対的に短い生産時間で行うことが可能になる。本発明の好適な実施形態において、不連続の結合部は、複数のパーフォレイション、複数のビード、及び／または複数の突起部とを有する。補強リブは、本体の外側表面上にプラスチック材をモールド成形することによって本体の外側表面に固定して取り付けられるのが好ましい。モールド成形されたプラスチック材は、（ｉ）複数のパーフォレイションの少なくとも一部を介して本体の内部空間に伸びている、（ｉｉ）複数の溝の少なくとも一部に充填されている、（ｉｉｉ）複数のビードの少なくとも一部に充填されている、（ｉｖ）複数の突起部の少なくとも一部を少なくとも部分的に覆っている、これらのうち少なくとも一つの状態である。本体の外側表面上にプラスチック材料をモールド成形する方法には、（ｉ）射出成形法（熱可塑性材料の場合）、（ｉｉ）反応射出成形法（２パック熱硬化性または熱硬化可能なポリウレタン合成物などの熱硬化性プラスチック材料の場合）、（ｉｉｉ）射出成形法と反応射出成形法との複合法（熱可塑性材料と熱硬化性材料の両方または他の成分を含むプラスチック合成物の場合）が含まれる。
【００３９】
それゆえ、本発明は更に、本発明に係る軽量構成部材の用途に関しており、自動車または飛行機の構成部品または支持構造物に関する。特に配線用通路またはガス用通路、好適には空気用通路を備える支持構造物や、計器盤支持材または自動車の横梁に関する。本発明の軽量構成部材を有する製造品には、これに限定されるわけではないが、自動車の構成部品、飛行機の構成部品、ケーブルまたはガスの少なくとも一つを受け入れる通路を備える構成部品が含まれる。更に、本発明の軽量構成部材を有する製造品には、これに限定されるわけではないが、計器盤支持材、横梁が含まれる。
【００４０】
特に本発明の好適な実施形態において、軽量構成部材の補強リブは、本体の外側表面に連続的な単一の構造物を形成する。
【００４１】
本発明は、典型的な様態によって、図面を参照しながら以下において詳細に説明される。
【００４２】
例１．
シート鋼（厚さ０．８ｍｍ）から成る本体（Ｕ型形状部またはシェル）１は、アングルフランジ８（リム部２９に）を備えるとともに、その外側に熱可塑性プラスチック材（例えば、グラスファイバにより補強されたＰＡ６）から成る十字形状のリブ２ａを設けている。リブは、上述のように、射出成形法をにより本体上にモールド成形されている。本体１の内部を渡って配置されているカバー５ａは、モールド成形されたリム枠４によって本体１のリム２９に永久的に固定されている。
【００４３】
本体１は、その表面の一部に熱可塑性材料が通過する開口状のパーフォレイションを備える。プラスチック材は、この部分に図３に示されているものと類似のリベット係合部３ａを形成する。図１に係る本体１は、温風ダクトの部分を形成する。
【００４４】
例２．
図２には、例１のものと類似する本体１が示されている。この本体１は、二重アングル補強フランジ８を備える。複数の側面補強リブ２ｂがここに、伸張方向と本体のフランジに対して垂直に配置されている。
【００４５】
リブ２ｂは、本体１を通過する熱可塑性材料によって本体の溝３ｆに取付けられている。この本体は開放箱形状に形成されている。
【００４６】
例３．
図３に示されている金属製本体１の内側表面２０は、その断面からわかるように、熱可塑性プラスチック材９によって覆われている。図１に示されたものと類似するように、本体１は、結合剤６によって本体１に取付けられるカバープレート５ａを備える。
【００４７】
結合剤６の代わりに、エッジ結合部（図示せず）を溶接することによる取付け方法が提供される。この場合、カバープレートには、これに隣接し内部を覆っている材料／プラスチック材が用いられる。
【００４８】
この場合、カバープレート５ａは、グラスファイバによって補強された熱硬化性材料から作成される。
【００４９】
結合部の３つの変形例として、開口３ａ、台形状ビード３ｂ、半球形状突起部３ｃが図３の断面図に示されている。
【００５０】
本体１は、熱可塑性プラスチック材料４に覆われている二重アングルフランジ８を備え、結合部３ａ、３ｂ、３ｃと共同することにより、複合物の強度が確保される。
【００５１】
構成部材の剛性を高めるために、カバープレート５ａは、縦方向または横方向若しくは十字状に配置されている補強ビード７を備える。
【００５２】
例４．
図４には、プラスチック製外側リブ２ａ、２ｂを備える金属製本体１の断面図が示されており、これは例２の輪郭断面に類似する。射出成形法を介して、熱可塑性材料は、本体１の開口３ａ、３ｅ、溝３ｆを通過しており、結合部を形成する。
【００５３】
金属製カバー５ｂは、本体１の内部を渡って取付けられており、金属製本体１に直接固定されている。それにより、電気的に遮断された通路２６を形成する。カバー５ｂの開口３ｇは、本体１の開口３ｅまたは溝３ｆ上に直接配置され、プラスチック材によって本体１にリベット固定される。
【００５４】
図３の本体のアングルフランジ部を考慮して、本体の側壁部のプラスチック材からなる縦方向リブ２ｂは、変形方向に従っているため、これのみで補強部となるうる。
【００５５】
本体はまた、その外側表面２３全体に、リブ２ａ、２ｂと同一の熱可塑製材料からなる外側覆い１０を備える。この場合、結合部３ｄ、３ｅ、３ｆをリブ２ａ、２ｂの部分に直接配置する必要はない。
【００５６】
金属製カバープレート５ｂの取付けは、従来の結合方法（接着部、溶接部６）の代わりに、軽量構成部材についての通常の射出成形法または「インモールドアセンブリ法」を用いることによって行われる。
【００５７】
以上により、本発明は図面と共に詳細に説明されたが、これは図面に関して単に説明されたのであって、当業者が、請求項により制限されることを除いて本発明の目的や範囲から逸脱することなく、改良物を作成可能であることは理解するところである。
【図面の簡単な説明】
【図１】カバープレート（５ａ）を有する本発明に係る略閉じている軽量構成部材（１０３）の斜視図である。
【図２】略横方向に外側に伸びている（または二重アングルである）補強フランジ（８）を有する本発明に係る開いている軽量構成部材（１００）の斜視図である。
【図３】図２のものと類似の略閉じている軽量構成部材（１０５）の断面図である。
【図４】本体やカバープレートに開口を備えている図３のものと類似する軽量構成部材の断面図である。
【符号の説明】
１  本体、  ２ａ  リブ、  ２ｂ  リブ、  ３ａ  係合部、  ３ｂ  ビード、  ３ｃ  突起部、  ３ｅ  開口、  ３ｆ  溝、  ４  リム枠、  ５ａ  カバープレート、５ｂ  カバープレート、  ６  結合剤、  ８  アングルフランジ、  ９  プラスチック材、  １０  覆い、  ２０  内側表面、  ２３  外側表面、  ２６  通路、  ２９  リム、  １００  軽量構成部材、  １０５  軽量構成部材
【図１】
2004156770.tif 000003
【図２】
2004156770.tif 000004
【図３】
2004156770.tif 000005
【図４】
2004156770.tif 000006
【外国語明細書】
2004156770.tif 000007
2004156770.tif 000008
2004156770.tif 000009
2004156770.tif 000010
2004156770.tif 000011
2004156770.tif 000012
2004156770.tif 000013
2004156770.tif 000014
2004156770.tif 000015
2004156770.tif 000016
2004156770.tif 000017
2004156770.tif 000018
2004156770.tif 000019
2004156770.tif 000020
2004156770.tif 000021
2004156770.tif 000022
2004156770.tif 000023
2004156770.tif 000024
2004156770.tif 000025
2004156770.tif 000026
2004156770.tif 000027
2004156770.tif 000028
2004156770.tif 000029